(57)【要約】【課題】  挿入部は従来と同様の形状でありながら、リング状部材からなる別体のつまみ部を挿入部に有機的に結合して、基本機能を維持しつつ、コンパクトで持ち運びに便利な施錠・解錠用キーを提供する。【解決手段】  錠装置の鍵穴９に差し込む挿入部６と、該挿入部６を鍵穴９の軸芯廻りに回動するつまみ部７を有して施錠・解錠用キー１を構成するに、上記挿入部６の差込基端側を長手方向に延長し、かつその延長部位４ａの表裏に亘って連結孔５を穿設すると共に、リング状部材で別体に構成したつまみ部７を、上記挿入部６の連結孔５に挿通した。【選択図】  図１
2006144462.tif 000002
【特許請求の範囲】
【請求項１】
錠装置の鍵穴に差し込む挿入部と、該挿入部を鍵穴の軸芯廻りに回動するつまみ部を有して施錠・解錠用キーを構成するに、上記挿入部の差込基端側を長手方向に延長し、かつその延長部位の表裏に亘って連結孔を穿設すると共に、リング状部材で別体に構成したつまみ部を、上記挿入部の連結孔に挿通したことを特徴とする施錠・解錠用キー。
【請求項２】
前記つまみ部は、キーホルダを兼用することを特徴とする請求項１に記載の施錠・解錠用キー。
【請求項３】
錠装置の鍵穴に差し込む挿入部の差込基端側を長手方向に延長して幅狭の延長部位を形成し、該延長部位につまみ部を挿通させるための連結孔を穿設してなることを特徴とする施錠・解錠用キー本体。
【発明の詳細な説明】
【技術分野】
【０００１】
本発明は、錠装置の鍵穴に差し込んで使用する施錠・解錠用キーに関するものである。
【背景技術】
【０００２】
従来、住宅や建物の開口部に設置される開閉ドアや、自動車用ドア等には、防犯上の必要からシリンダ錠として一般に知られている錠装置が取り付けられており、この錠装置の施錠・解錠用キー（以下、単にキーという。）は、図２（ｆ）に示すように、鍵穴に差し込む挿入部Ａと、これを鍵穴の軸芯廻りに回動するつまみ部Ｂを一体形成して構成される。
【０００３】
しかしながら、上記従来のキー構成では、人差し指と親指でつまみ部Ｂを掴持した際に、差し込んだ挿入部Ａの回動操作およびその抜き取り操作に困難を感じない程度の広さ面積を有してつまみ部Ｂを形成しているため、同図のように、キー全体としては、細長の挿入部Ａに比して必然的につまみ部Ｂが幅広となる構成を余儀なくされ、例えば、自宅ドアのキーや自動車のキー、事務所のドアキー等の多数のキーを持ち歩く場合には、その総重量の増大と相俟って多数のキーがかさばってしまう、という使用上の問題点を内包するものであった。
【０００４】
そこで、従来のつまみ部を小型に形成したデザイン性の高いカスタム仕様のキーが鍵専門ショップから提案され販売されているが、デザイン性を優先させているため、キーの基本機能である挿入部の回動、あるいは抜き取りなどの操作性が犠牲になっており、上述の問題点を解決するには未だ至っていないのが実状であった。
【発明の開示】
【発明が解決しようとする課題】
【０００５】
本発明は、叙上のような実状に鑑み「施錠・解錠用キーを構成するつまみ部と挿入部をそれぞれ別体に形成する」という全く新規な着想の元に創案されたものであって、その意図するところは、挿入部は従来と同様の形状でありながら、リング状部材からなる別体のつまみ部を挿入部に有機的に結合して、基本機能を維持しつつ、コンパクトで持ち運びに便利な施錠・解錠用キーを提供しようとするものである。
【課題を解決するための手段】
【０００６】
上記課題を解決するため、本発明が採用した技術手段は、錠装置の鍵穴に差し込む挿入部と、該挿入部を鍵穴の軸芯廻りに回動するつまみ部を有して施錠・解錠用キーを構成するに、上記挿入部の差込基端側を長手方向に延長し、かつその延長部位の表裏に亘って連結孔を穿設すると共に、リング状部材で別体に構成したつまみ部を、上記挿入部の連結孔に挿通したことを特徴とするものである。本発明が採用した他の技術手段は、錠装置の鍵穴に差し込む挿入部の差込基端側を長手方向に延長して幅狭の延長部位を形成し、該延長部位につまみ部を挿通させるための連結孔を穿設してなることを特徴とする施錠・解錠用キー本体である。該本体に挿通されるつまみ部は好適な例ではリング状部材であるが、つまみ部材はリング状部材以外の部材、例えば、板状部材でもよい。
【発明の効果】
【０００７】
したがって本発明によれば、従来のキーのつまみ部に相当する部位が挿入部に一体形成されていないので、キーとしての基本操作を容易に行えるものでありながら、挿入部の構成を軽量、コンパクトにすることができると共に、リング状部材からなるつまみ部は、そのままキーホルダとしても兼用できるので、需要者が必要とするキーの挿入部のみを同一のつまみ部に複数取り付けることにより、それぞれのキー操作を共通のつまみ部を使用して支障なく行うことができ、また軽量で持ち運びに便利なファッションアイテムとしての利用も可能になる。
【発明を実施するための最良の形態】
【０００８】
施錠・解錠用キーを構成する挿入部の差込基端側を長手方向に延長し、この延長部位の表裏に亘って穿設した連結孔に、リング状部材で別体に構成したつまみ部を挿通した。
【実施例１】
【０００９】
本発明の構成を、図面に示した実施例に基づいて詳細に説明する。図１および図２において、１は施錠・解錠用キー（以下、単にキー１という。）であって、該キー１は、鍵山２、３を両側縁に刻設した本体４の差込基端側を長手方向にやや幅広で延長し、その延長部位４ａの表裏に亘って連結孔５を穿設してなる挿入部６と、リング状に形成されたつまみ部７とからなり、当該つまみ部７を上記連結孔５に遊嵌状に挿通してキー１が構成されている。延長部位４aは少なくとも挿入部６が形成できる程度の長さを有していればよい。また、延長部位４aは従来のキーＣに比べて幅狭に形成されているが、幅狭の延長部位４aは図示のように挿入部６と略同幅ないし若干幅広に形成されるものに限定されず、挿入部６より幅狭に形成してもよい。
【００１０】
上記挿入部６は、図２（ｅ）および（ｆ）に示すように、従来のキーＣの構成に比して、幅広のつまみ部Ｂが形成されていないので、極めてコンパクトな形状となっており、その重量も大幅に軽量化されたものとなっている。
【００１１】
また上記つまみ部７は、鋼線材を二巻きした引張コイル弾機の形状で形成されており、その両端部７ａ、７ａが対向する部位の鋼線材を段差状に曲成してリング状に一体をなすつまみ部７が構成されている。リング状のつまみ部７は両端部７ａ、７ａが弾性的に離間可能に構成されており、両端部７ａ、７ａ間に間隙を形成することで、連結孔５を介してつまみ部７に挿通されるキー１の交換が可能である。尚、好適な例として、円形リング状のつまみ部７を図示したが、リング状のつまみ部の形状は、円形に限定されるものではなく、楕円形、角状、その他の形状のリングであってもよい。
【００１２】
本発明は叙上の如く構成されているから、本発明のキー１を使用して施錠・解錠する場合は、図３（ａ）〜（ｄ）に示すように、まずシリンダ錠８の鍵穴９にキー１の挿入部６を挿入する。そして、上記挿入部６の連結孔５に挿通したつまみ部７をシリンダ錠８の軸芯方向に起立させ、当該シリンダ錠８の施錠方向、すなわち図視で時計方向につまみ部７を回動操作すると、連結孔５に挿通されたつまみ部７の挿通部位７ｂが、連結孔５の周縁に当接し、そのまま更につまみ部７を回動させると、連結孔５に対する挿通部位７ｂのテコの作用により挿入部６が鍵穴９とともに回動し、シリンダ錠８が施錠または解錠されることになる。
【００１３】
次いで、キー１を鍵穴９から引き抜く場合は、図４に示すように、リング状のつまみ部７内に係止した指Ｄを、そのまま引き操作すれば、当該つまみ部７とともに挿入部６を簡単に引き出すことができる。
【００１４】
上述したキー１のつまみ部７は、そのままキーホルダとしても兼用できるので、例えば図５（ａ）に示すように、需要者が必要とするキーの挿入部１０、１１のみを挿入部６とともに単一のつまみ部７に複数取り付けることができ、共通のつまみ部７を利用してそれぞれのキー操作を支障なく行うことができる。また同図（ｂ）に示すように、携帯電話１２のストラップ１３に、共通のつまみ部７を介して複数キーの挿入部６、１０、１１を取り付けることにより、軽量で持ち運びに便利なファッションアイテムとしての利用も可能になる。尚、キーとしての挿入部に代えて、先端を「＋」あるいは「−」の形状に構成したミニドライバの基部に挿通孔を形成し、これにリング状部材からなるつまみ部を挿通すれば、持ち運びに便利なミニ工具として構成することも可能となる。
【産業上の利用可能性】
【００１５】
本発明は鍵装置のキーに用いることができ、好ましくはスペアキーとして利用可能である。
【図面の簡単な説明】
【００１６】
【図１】本発明の施錠・解錠用キーの全体斜視図である。
【図２】（ａ）はつまみ部の平面図、（ｂ）は同上正面図、（ｃ）は挿入部の平面図、（ｄ）は同上左側面図、（ｅ）は同上正面図、（ｆ）は従来の施錠・解錠用キーの正面図である。
【図３】（ａ）はシリンダ錠の平面図、（ｂ）は挿入部を鍵穴に挿通した状態を示す平面図、（ｃ）は断面で図示したつまみ部の操作を説明する平面図、（ｄ）は（ｃ）に続く断面で図示したつまみ部の操作を説明する平面図である。
【図４】（ａ）および（ｂ）は施錠・解錠用キーの引き抜き操作を示す作用説明図である。
【図５】（ａ）は単一のつまみ部に複数の挿通部を取り付けた状態を示す斜視図、（ｂ）は携帯電話のストラップに本発明の施錠・解錠用キーを取り付けた状態を示す斜視図である。
【符号の説明】
【００１７】
１    施錠・解錠用キー
４ａ  延長部位
５    連結孔
６    挿入部
７    つまみ部
８    シリンダ錠（錠装置）
９    鍵穴
【図１】
2006144462.tif 000003
【図２】
2006144462.tif 000004
【図３】
2006144462.tif 000005
【図４】
2006144462.tif 000006
【図５】
2006144462.tif 000007